(57)【要約】【課題】ユーザーが動画データを注視し続ける必要がなく、また、ユーザー自身が動画データの再生を一時停止するタイミングを調整する手間がかからず、動画データの再生を一時停止できる動画再生装置を提供すること。【解決手段】動画データ供給部(１１)は、ページを切り替えることによって録画した動画データを動画再生部(１２)に供給する。動画再生部(１２)が再生した上記動画データは表示部(１３)に表示される。ページ切り替わり検出部(１５)は、動画データにおけるページの切り替わりを検出して、ページ切り替わり信号を出力する。再生制御部(１６)は、ユーザーの手動操作による指令を表す指令信号を出力する操作部(１４)からの指令信号を受けて動画再生部(１２)を制御すると共に、ページ切り替わり検出部(１５)からのページ切り替わり信号を受けて動画再生部(１２)の動画データの再生を自動で一時停止させる。【選択図】図１
2014096723.tif 000002
【特許請求の範囲】
【請求項１】
複数のページを切り替えることによって録画した動画データを供給する動画データ供給部と、
上記動画データ供給部から供給された上記動画データを再生する動画再生部と、
上記動画再生部が再生した上記動画データを表示する表示部と、
上記動画データにおけるページの切り替わりを検出して、ページ切り替わり信号を出力するページ切り替わり検出部と、
ユーザーの手動操作による指令を表す指令信号を出力する操作部と、
上記操作部からの上記指令信号を受けて上記動画再生部を制御すると共に、上記ページ切り替わり検出部からの上記ページ切り替わり信号を受けて上記動画再生部による上記動画データの再生を一時停止させる再生制御部と
を備えることを特徴とする動画再生装置。
【請求項２】
請求項１に記載の動画再生装置において、
上記ページ切り替わり検出部は、上記動画データの１フレームと、この１フレームの次のフレームとの間で予め定められた値以上に色情報が変化した画素の数が予め定められた閾値以下になったとき、ページの切り替わりを検出して、上記ページ切り替わり信号を出力することを特徴とする動画再生装置。
【請求項３】
請求項１に記載の動画再生装置において、
上記ページ切り替わり検出部は、上記動画データの１フレームと、この１フレームの次のフレームとの間で予め定められた値以上に色情報が変化した画素の数が予め定められた閾値以下の状態が一定時間継続したとき、ページの切り替わりを検出して、上記ページ切り替わり信号を出力することを特徴とする動画再生装置。
【請求項４】
請求項１から３までのいずれか１つに記載の動画再生装置において、
上記ページ切り替わり検出部は、上記ページの切り替わり信号を出力した後、上記動画データの１フレームと、この１フレームの次のフレームとの間で、予め定められた値以上に色情報が変化した画素の数が予め定められた閾値より大きくなるまでの間、ページの切り替わりを検出せず、上記ページ切り替わり信号を出力しないことを特徴とする動画再生装置。
【請求項５】
書籍を録画した動画データを再生する再生工程と、
上記動画データの再生時に、上記動画データのフレーム毎に全ての画素または一部の画素の色情報を比較して、一定値以上色情報が変化した画素の数が閾値以下であるとき、ページの切り替わりを検出するページ切り替わり検出工程と、
上記ページの切り替わりを検出したときに、上記動画データの再生を一時停止する再生一時停止工程と
を備えることを特徴とする動画再生方法。
【発明の詳細な説明】
【技術分野】
【０００１】
本発明は、例えば、携帯電話、携帯情報端末（PDA: Personal Digital Assistant）等の動画再生装置および動画再生方法に関する。
【背景技術】
【０００２】
従来、動画再生装置としては、http://d.hatena.ne.jp/yonta24/20111103/ 1320252540（非特許文献１）に記載されたものがある。この動画再生装置は、動画再生部と、表示部と、操作部と、再生制御部とを備える。
【０００３】
そして、書籍の複数のページを切り替えることによって録画した動画データが動画再生部によって再生され、表示部がこの動画データを表示するとき、ユーザーは、動画データを見て、ページが切り替わると操作部を操作する。この操作に基づいて、再生制御部は、動画データの再生を一時停止したり、動画データの再生を再開したりする。このように、ユーザーは、動画データを見て、手動で動画データの再生を制御することによって、書籍の内容を閲覧している。
【先行技術文献】
【非特許文献】
【０００４】
【非特許文献１】http://d.hatena.ne.jp/yonta24/20111103/1320252540
【発明の概要】
【発明が解決しようとする課題】
【０００５】
しかしながら、上記従来の動画再生装置では、動画データを見て、ページが切り替わると動画データの再生を一時停止するために、ユーザーが動画データを注視し続けなければならないという問題があった。また、ユーザー自身が動画データの再生を一時停止するタイミングを調整する手間がかかるという問題があった。
【０００６】
そこで、本発明の課題は、ユーザーが動画データを注視し続ける必要がなく、また、ユーザー自身が動画データの再生を一時停止するタイミングを調整する手間がかからず、動画データの再生を一時停止できる動画再生装置を提供することにある。
【課題を解決するための手段】
【０００７】
上記課題を解決するため、本発明の動画再生装置は、
複数のページを切り替えることによって録画した動画データを供給する動画データ供給部と、
上記動画データ供給部から供給された上記動画データを再生する動画再生部と、
上記動画再生部が再生した上記動画データを表示する表示部と、
上記動画データにおけるページの切り替わりを検出して、ページ切り替わり信号を出力するページ切り替わり検出部と、
ユーザーの手動操作による指令を表す指令信号を出力する操作部と、
上記操作部からの上記指令信号を受けて上記動画再生部を制御すると共に、上記ページ切り替わり検出部からの上記ページ切り替わり信号を受けて上記動画再生部による上記動画データの再生を一時停止させる再生制御部と
を備えることを特徴としている。
【０００８】
また、一実施形態の動画再生装置では、
上記ページ切り替わり検出部は、上記動画データの１フレームと、この１フレームの次のフレームとの間で予め定められた値以上に色情報が変化した画素の数が予め定められた閾値以下になったとき、ページの切り替わりを検出して、上記ページ切り替わり信号を出力する。
【０００９】
また、一実施形態の動画再生装置では、
上記ページ切り替わり検出部は、上記動画データの１フレームと、この１フレームの次のフレームとの間で予め定められた値以上に色情報が変化した画素の数が予め定められた閾値以下の状態が一定時間継続したとき、ページの切り替わりを検出して、上記ページ切り替わり信号を出力する。
【００１０】
また、一実施形態の動画再生装置では、
上記ページ切り替わり検出部は、上記ページの切り替わり信号を出力した後、上記動画データの１フレームと、この１フレームの次のフレームとの間で、予め定められた値以上に色情報が変化した画素の数が予め定められた閾値より大きくなるまでの間、ページの切り替わりを検出せず、上記ページ切り替わり信号を出力しない。
【００１１】
また、本発明の動画再生方法は、
書籍を録画した動画データを再生する再生工程と、
上記動画データの再生時に、上記動画データのフレーム毎に全ての画素または一部の画素の色情報を比較して、一定値以上色情報が変化した画素の数が閾値以下であるとき、ページの切り替わりを検出するページ切り替わり検出工程と、
上記ページの切り替わりを検出したときに、上記動画データの再生を一時停止する再生一時停止工程と
を備えることを特徴としている。
【発明の効果】
【００１２】
本発明の動画再生装置によれば、ページ切り替わり検出部と再生制御部とを備えるので、ユーザーが動画データを注視し続ける必要がなく、また、ユーザー自身が動画データの再生を一時停止するタイミングを調整する手間がかからず、動画データの再生を自動で一時停止できる。
【００１３】
本発明の動画再生方法によれば、ページ切り替わり検出工程と再生一時停止工程とを備えるので、ユーザーが動画データを注視し続ける必要がなく、また、ユーザー自身が動画データの再生を一時停止するタイミングを調整する手間がかからず、動画データの再生を自動で一時停止できる。
【図面の簡単な説明】
【００１４】
【図１】本発明の一実施形態の動画再生装置のブロック図である。
【図２】上記動画再生装置の再生制御部による動画データの再生を一時停止する処理を説明するためのフローチャートである。
【図３】上記動画データのフレーム間で色情報に変化のあった画素の数の変化および上記動画再生装置の動作状態を説明するための図である。
【図４】上記動画データのフレーム間で色情報に変化のあった画素の数の変化および上記動画再生装置の動作状態を説明するための図である。
【図５】上記動画データのフレーム間で色情報に変化のあった画素の数の変化および上記動画再生装置の動作状態を説明するための図である。
【図６】上記動画データのフレーム間で色情報に変化のあった画素の数の変化および上記動画再生装置の動作状態を説明するための図である。
【図７】上記動画データのフレーム間で色情報に変化のあった画素の数の変化および上記動画再生装置の動作状態を説明するための図である。
【発明を実施するための形態】
【００１５】
以下、本発明を図示の実施の形態により詳細に説明する。
【００１６】
図１は、本発明の一実施形態の動画再生装置の要部の構成を示すブロック図である。
【００１７】
図１に示すように、この動画再生装置は、動画データ供給部１１、動画再生部１２、表示部１３、操作部１４、ページ切り替わり検出部１５および再生制御部１６を備えている。
【００１８】
上記動画データ供給部１１は、書籍の複数のページをめくって切り替えることによって録画した動画データを動画再生部１２に供給する。上記動画データ供給部１１は、例えば、メモリカード等の記録媒体のソケット等の接続端子や、外部の機器から動画データを受信する通信インタフェース等である。
【００１９】
上記動画再生部１２は、上記動画データ供給部１１から供給された上記動画データを再生する。上記表示部１３は、例えば液晶表示装置や有機ＥＬ（エレクトロルミネッセンス）からなり、再生された動画データを表示する。
【００２０】
上記ページ切り替わり検出部１５は、上記再生された動画データの各フレームについて、それぞれ全画素の色情報を取得する。この色情報に基づいて、上記ページ切り替わり検出部１５は、各画素について、上記動画データの１フレームと、この１フレームの次の１フレームとの間で色情報がどれだけ変化したかを数値化する。上記ページ切り替わり検出部１５は、各画素について、この数値化された数値と予め定められた色情報閾値とを比較して、この数値が上記色情報閾値よりも大きいとき、色情報に変化のあった画素と判定する。
【００２１】
また、上記ページ切り替わり検出部１５は、この色情報に変化のあった画素の数を上記動画データのフレーム間毎に算出する。上記ページ切り替わり検出部１５は、予め定められた画素数閾値に基づいて、ページの切り替わりを検出する。上記ページ切り替わり検出部１５は、上記色情報に変化のあった画素の数と上記画素数閾値とを比較して、上記画素の数が画素数閾値以下の状態が一定時間継続したとき、ページの切り替わりを検出して、ページ切り替わり信号を出力する。
【００２２】
上記操作部１４は、ユーザーの手動操作による指令を受けて、この指令を表す指令信号を出力する。
【００２３】
上記再生制御部１６は、操作部１４からの上記指令信号を受けて動画再生部１２を制御する。また、上記再生制御部１６は、ページ切り替わり検出部１５からの上記ページ切り替わり信号を受けて動画再生部１２による上記動画データの再生を一時停止させる。
【００２４】
次に、図２〜図７を参照して、上記構成の動画再生装置の動作を説明する。
【００２５】
図２は、上記動画再生装置の動作を示すフローチャートである。また、図３〜図７は、上記動画データのフレーム間で色情報に変化のあった画素の数の変化および上記動画再生装置の動作状態を説明するための図である。
【００２６】
図２に示すように、まず、ユーザーが操作部１４を手動操作して、動画データの再生を指令する。上記操作部１４からの指令信号を受けて、動画再生部１２が上記動画データの再生を開始する（ステップＳ１）。上記動画再生部１２が再生した上記動画データは、表示部１３に表示される。
【００２７】
ここで、書籍の複数のページをめくって切り替えることにより録画するとき、ページをめくったらページの文字が鮮明に見えるように少し時間をおいて、次のページをめくると考えられる。このため、図３に示すように、上記動画データの１フレームと、このフレームの次の１フレームとの間で色情報に変化のあった画素の数は、時間とともに略正弦波状に増減を繰り返す。例えば、時間ｔ１のとき、上記画素の数が大きく、上記動画データにおいてページめくり中であることを示している。一方、上記画素の数が小さくなったとき、上記動画データにおいて、ページがめくられて切り替わった状態であることを示している。このページの切り替わりを検出するための画素数閾値Ｓを基準とすると、上記画素の数が画素数閾値Ｓよりも大きい時間帯（区間Ａ）と、上記画素の数が画素数閾値Ｓ以下の時間帯（区間Ｂ）とが時間の経過にともなって交互に存在している。
【００２８】
次に、図２のステップＳ２に進んで、上記ページ切り替わり検出部１５は、上記動画データのフレーム間で色情報に変化のあった画素の数に基づいて、上記動画データの再生を開始した箇所が上記区間Ａにあるか、または上記区間Ｂにあるかを判別する。そして、上記箇所が区間Ａにあるときは、ステップＳ３に進む一方、区間Ｂにあるときは、ステップＳ７に進む。
【００２９】
ステップＳ３では、上記ページ切り替わり検出部１５は、上記動画データの現在のフレームについて、全画素の色情報を取得する。この全画素の色情報は、ページ切り替わり検出部１５が備えるメモリ（図示せず）に逐次記憶される。
【００３０】
次に、ステップＳ４に進んで、上記ページ切り替わり検出部１５は、上記全画素の色情報に基づいて、上記動画データのフレーム間で色情報に変化のあった画素の数が画素数閾値Ｓ以下か否かを判定する。上記画素の数が画素数閾値Ｓ以下のときは、ステップＳ５に進む一方、画素数閾値Ｓより大きいときは、ステップＳ３に戻る。
【００３１】
ステップＳ５では、ページ切り替わり検出部１５は、ページ切り替わり検出部１５が備えるタイマ（図示せず）に基づいて、上記動画データのフレーム間で色情報に変化のあった画素の数が画素数閾値Ｓ以下の状態が一定時間継続したか否かを判定する。上記画素の数が画素数閾値Ｓ以下の状態が一定時間継続したときは、ステップＳ６に進む一方、上記状態が一定時間継続していないときは、ステップＳ３へ戻る。
【００３２】
ステップＳ６では、ページ切り替わり検出部１５は、ページの切り替わりを検出して、ページ切り替わり信号を出力する。上記再生制御部１６は、このページ切り替わり信号を受けて、動画再生部１２による上記動画データの再生を一時停止させる。
【００３３】
具体的には、図４に示すように、上記画素の数が画素数閾値Ｓ以下になったとき（時間ｔ２）から、上記画素の数が画素数閾値Ｓ以下の状態が一定時間Ｔ継続したとき（時間ｔ３）、上記ページ切り替わり検出部１５は、ページの切り替わりを検出して、ページ切り替わり信号を出力する。このページ切り替わり信号を受けて、上記再生制御部１６は、動画再生部１２による上記動画データの再生を一時停止させる。
【００３４】
このように、上記動画データの再生を自動で一時停止させるので、ユーザーが動画データを注視し続ける必要がなく、また、ユーザー自身が動画データの再生を一時停止するタイミングを調整する手間がかからず、動画データの再生を自動で一時停止できる。
【００３５】
一方、図２のステップＳ７では、上記ページ切り替わり検出部１５は、ステップＳ３と同様に、上記動画データの現在のフレームについて、全画素の色情報を取得する。この全画素の色情報は、ページ切り替わり検出部１５が備えるメモリ（図示せず）に逐次記憶される。
【００３６】
次に、ステップＳ８に進んで、上記ページ切り替わり検出部１５は、上記全画素の色情報に基づいて、上記動画データのフレーム間で色情報に変化のあった画素の数が画素数閾値Ｓ以下か否かを判定する。上記画素の数が画素数閾値Ｓ以下のときは、ステップＳ７に戻る一方、画素数閾値Ｓより大きいときは、ステップＳ３へ進む。
【００３７】
具体的には、図５に示すように、上記動画データの再生を一時停止させた後に、ユーザーが操作部１４を操作して、上記動画データの再生を再開させたとき（時間ｔ４）、上記動画データのフレーム間で色情報に変化のあった画素の数は、画素数閾値Ｓ以下である。このため、上記画素の数が画素数閾値Ｓ以下のとき、上記ページ切り替わり検出部１５は、上記ページ切り替わり信号を出力しないので、上記動画データの再生は継続される。
【００３８】
その後、図６に示すように、上記画素の数が画素数閾値Ｓより大きくなる（時間ｔ５）と、上記画素の数が画素数閾値Ｓより大きいとき、上記ページ切り替わり検出部１５は、上記ページ切り替わり信号を出力しないので、上記動画データの再生は継続される。
【００３９】
そして、図７に示すように、上記画素の数が画素数閾値Ｓ以下になったとき（時間ｔ６）から上記画素の数が画素数閾値Ｓ以下の状態が一定時間Ｔ継続したとき（時間ｔ７）、上記ページ切り替わり検出部１５は、ページの切り替わりを検出して、上記ページ切り替わり信号を出力する。このページ切り替わり信号を受けて、上記再生制御部１６は、動画再生部１２による上記動画データの再生を一時停止させる（図２のステップＳ６）。
【００４０】
このように、上記動画データの再生を再開した後、次にページが切り替わるまで、上記動画データの再生を自動的に継続させるので、ユーザーが動画データを注視し続ける必要がなく、上記動画データの再生によって効率良く書籍の内容を閲覧できる。
【００４１】
なお、上記実施形態では、ページ切り替わり検出部１５は、動画データのフレーム間で色情報に変化のあった画素の数が画素数閾値Ｓ以下になったときから、上記画素の数が画素数閾値Ｓ以下の状態が一定時間Ｔ継続したとき、ページの切り替わりを検出していたが、上記画素の数が画素数閾値Ｓ以下になったときにページが切り替わったと判断してもよい。
【００４２】
また、上記実施形態では、ページ切り替わり検出部１５は、動画データの１フレームと、この１フレームの次の１フレームとの間で色情報閾値以上に色情報が変化した画素の数に基づいて、ページの切り替わりを検出していたが、動画データの１フレームと、この１フレームに続く連続する複数フレームとの間や、この１フレームの３フレーム後のフレームとの間などで色情報閾値以上に色情報が変化した画素の数に基づいて、ページの切り替わりを検出してもよい。
【００４３】
また、上記実施形態では、ページ切り替わり検出部１５は、色情報に変化のあった画素の数と予め定められた画素数閾値とを比較して、ページの切り替わりを検出していたが、色情報に変化のあった画素の数の変化率など、他のパラメータに基づいて、ページの切り替わりを検出してもよい。
【００４４】
また、上記実施形態では、ページ切り替わり検出部１５は、再生された動画データの各フレームについて、それぞれ全画素の色情報を取得したが、一部の画素についての色情報のみを取得してもよい。
【００４５】
なお、本発明の動画再生方法として、上記実施形態で説明した上記動画再生装置の動作と同じであり、ページ切り替わり検出工程（つまり、ページ切り替わり検出部）と、再生一時停止工程（つまり、再生制御部）とを備える。これにより、上記実施形態で説明した上記動画再生装置の効果と同じ効果を奏する。
【００４６】
本発明の動画再生装置は、
複数のページを切り替えることによって録画した動画データを供給する動画データ供給部１１と、
上記動画データ供給部１１から供給された上記動画データを再生する動画再生部１２と、
上記動画再生部１２が再生した上記動画データを表示する表示部１３と、
上記動画データにおけるページの切り替わりを検出して、ページ切り替わり信号を出力するページ切り替わり検出部１５と、
ユーザーの手動操作による指令を表す指令信号を出力する操作部１４と、
上記操作部１４からの上記指令信号を受けて上記動画再生部１２を制御すると共に、上記ページ切り替わり検出部１５からの上記ページ切り替わり信号を受けて上記動画再生部１２による上記動画データの再生を一時停止させる再生制御部１６と
を備えることを特徴としている。
【００４７】
上記構成によれば、上記ページ切り替わり検出部１５が上記動画データにおけるページの切り替わりを検出して、ページ切り替わり信号を出力し、再生制御部１６は、ページ切り替わり検出部１５からの上記ページ切り替わり信号を受けて動画再生部１２による上記動画データの再生を一時停止させる。したがって、ユーザーが動画データを注視し続ける必要がなく、また、ユーザー自身が動画データの再生を一時停止するタイミングを調整する手間がかからず、動画データの再生を自動で一時停止できる。
【００４８】
また、一実施形態の動画再生装置では、
上記ページ切り替わり検出部１５は、上記動画データの１フレームと、この１フレームの次のフレームとの間で予め定められた値以上に色情報が変化した画素の数が予め定められた閾値以下になったとき、ページの切り替わりを検出して、上記ページ切り替わり信号を出力する。
【００４９】
上記実施形態によれば、上記ページ切り替わり検出部１５は、上記動画データの１フレームと、この１フレームの次のフレームとの間で予め定められた値以上に色情報が変化した画素の数が予め定められた閾値以下になったとき、上記ページの切り替わりを検出するので、上記ページの切り替わりを簡単かつ迅速に検出できる。
【００５０】
また、一実施形態の動画再生装置では、
上記ページ切り替わり検出部１５は、上記動画データの１フレームと、この１フレームの次のフレームとの間で予め定められた値以上に色情報が変化した画素の数が予め定められた閾値以下の状態が一定時間継続したとき、ページの切り替わりを検出して、上記ページ切り替わり信号を出力する。
【００５１】
上記実施形態によれば、上記ページ切り替わり検出部１５は、上記動画データの１フレームと、この１フレームの次のフレームとの間で予め定められた値以上に色情報が変化した画素の数が予め定められた閾値以下の状態が一定時間継続したとき、上記ページの切り替わりを検出するので、より確実に上記ページの切り替わりを検出できる。
【００５２】
また、一実施形態の動画再生装置では、
上記ページ切り替わり検出部１５は、上記ページの切り替わり信号を出力した後、上記動画データの１フレームと、この１フレームの次のフレームとの間で、予め定められた値以上に色情報が変化した画素の数が予め定められた閾値より大きくなるまでの間、ページの切り替わりを検出せず、上記ページ切り替わり信号を出力しない。
【００５３】
上記実施形態によれば、上記ページ切り替わり検出部１５は、上記ページの切り替わり信号を出力した後、上記動画データの１フレームと、この１フレームの次のフレームとの間で、予め定められた値以上に色情報が変化した画素の数が予め定められた閾値より大きくなるまでの間、ページの切り替わりを検出せず、上記ページ切り替わり信号を出力しない。このため、上記動画データの再生を再開した後、次にページが切り替わるまで、上記動画データの再生を自動的に継続させるので、ユーザーが動画データを注視し続ける必要がなく、動画データの再生によって効率良く動画データの内容を閲覧できる。
【００５４】
また、本発明の動画再生方法は、
書籍を録画した動画データを再生する再生工程と、
上記動画データの再生時に、上記動画データのフレーム毎に全ての画素または一部の画素の色情報を比較して、一定値以上色情報が変化した画素の数が閾値以下であるとき、ページの切り替わりを検出するページ切り替わり検出工程と、
上記ページの切り替わりを検出したときに、上記動画データの再生を一時停止する再生一時停止工程と
を備えることを特徴としている。
【００５５】
本発明の動画再生方法によれば、上記ページ切り替わり検出工程が上記動画データにおけるページの切り替わりを検出し、上記再生一時停止工程は、上記ページの切り替わりを検出したとき上記動画データの再生を一時停止する。したがって、ユーザーが動画データを注視し続ける必要がなく、また、ユーザー自身が動画データの再生を一時停止するタイミングを調整する手間がかからず、動画データの再生を自動で一時停止できる。
【符号の説明】
【００５６】
１１  動画データ供給部
１２  動画再生部
１３  表示部
１４  操作部
１５  ページ切り替わり検出部
１６  再生制御部
【図１】
2014096723.tif 000003
【図２】
2014096723.tif 000004
【図３】
2014096723.tif 000005
【図４】
2014096723.tif 000006
【図５】
2014096723.tif 000007
【図６】
2014096723.tif 000008
【図７】
2014096723.tif 000009